(57)【要約】【課題】所定の構造を有する浴室ユニットの外観意匠性及び水密性を同時に確保することができる浴室ユニットを提供する。【解決手段】洗い場側から装着される化粧カバー８は、カバー本体と、装着されたカバー本体が床パン立ち上がり１４とエプロンの下端部とを挟み込む固定用ビス９及び固定用ピース７の露出部分を隠す状態で、床パン立ち上がり１４とエプロン下端部との接触箇所に生じる隙間を覆い隠す補助水密材８３とを備える。【選択図】図１０
2011101767.tif 000002
【特許請求の範囲】
【請求項１】
洗場となる床パンと浴槽とが設置面上に並設され、洗場側と浴槽側とが床パンと浴槽の洗場側上端とで支持されるエプロンによって水密に仕切られ、エプロン下端部が床パン立ち上がり部にねじ固定される浴室ユニットにおいて、
洗場側から装着される化粧カバーを備え、
前記化粧カバーは、
カバー本体と、
装着されたカバー本体が前記床パン立ち上がり部と前記エプロン下端部とを両端で挟み込むボルト、ナット又はねじなどの締結部材の洗場側への露出部分を隠す状態で、前記床パン立ち上がり部と前記エプロン下端部との接触箇所に生じる隙間を覆い隠す水密材と
を備えることを特徴とする浴室ユニット。
【請求項２】
前記水密材は、ヒレ状をなし、前記化粧カバーが装着される状態で、その先端部が前記床パン立ち上がり部に弾性圧着するようにしてあることを特徴とする請求項１に記載の浴室ユニット。
【請求項３】
前記水密材は、前記化粧カバーが装着される状態で、前記床パン立ち上がり部の面に沿って湾曲するように形成されていることを特徴とする請求項２に記載の浴室ユニット。
【請求項４】
前記化粧カバーは、前記締結部材の洗場側への露出部分に弾性嵌合するようにしてあることを特徴とする請求項１乃至３の何れかに記載の浴室ユニット。
【請求項５】
前記化粧カバーは、
前記エプロンの幅方向に臨む帯状板をなし、該帯状板の撓み込みを防ぐための突起が背面に形成されていることを特徴とする請求項１乃至４の何れかに記載の浴室ユニット。
【発明の詳細な説明】
【技術分野】
【０００１】
洗い場側と浴槽側とがエプロンで水密に仕切られる浴室ユニットに関するものであり、特に、洗い場側から装着される化粧カバーが、エプロン下端部を固定部に固定する締結部材を隠す状態で、エプロン下端部と固定部との間に生ずる隙間を覆い隠すことができる水密材を備える浴室ユニットに関する。
【背景技術】
【０００２】
従来、工場で予め形成された部品を現場で組み立てるユニット工法の浴室ユニットは、施工が容易となることから、多くの住宅又は居住施設で採用されている。特に、浴槽と洗い場用床パンとを設置面上に並べて設置するハーフパネルタイプの浴室ユニットは、部品数の抑制と施工容易性とをバランス良く達成することができるため、浴槽を床パンの上に据え置くフルパネルタイプや、浴槽と床パンとが一体成形されるカプセルタイプの浴室ユニットに比べて多く採用されている。
【０００３】
ところで、ハーフパネルタイプの浴室ユニットは、並設された浴槽と床パンとの間に構造体となるエプロン部材を取り付け、浴槽と床パンとを水密に仕切る構造を有している。具体的には、エプロン部材の上端部が浴槽のフランジに嵌め込まれ、エプロン部材の下端部が床パンの床パン立ち上がりにねじ止めされるという取付構造を有している。
【０００４】
そのため、従来の浴室ユニットにあっては、外観意匠性が損なわれないように、洗い場の入浴者から見えない位置でねじ止めがなされている。しかし、かかる工夫では、ねじ頭を完全に隠すことができないため、外観意匠性を重視する利用者の購入意欲を刺激することができない。
【０００５】
そこで、従来、ねじ頭を化粧カバー又は弾性パッキンで隠蔽するようにしてある浴室ユニットが提案された（例えば、特許文献１及び特許文献２）。
【０００６】
【特許文献１】特開２０００−５０８７号公報
【特許文献２】特開平９−２９４６８４号公報
【発明の概要】
【発明が解決しようとする課題】
【０００７】
しかしながら、特許文献１に記載された発明にあっては、化粧カバーが止水手段を有していないため、水が侵入して躯体外部に水漏れするおそれがある。また、特許文献２に記載された発明にあっては、エプロンの取付箇所に弾性パッキンを挿し込む構造であるため、エプロン着脱の繰り返しにより弾性パッキンが劣化して水密性が低下するおそれがある。
【０００８】
なお、上述した問題を解決するために、止水手段をエプロン部材に直接設けることができるが、エプロン部材は、点検作業口の蓋として繰り返し着脱されるため、着脱を妨げる止水手段を２重３重に設けることができない。一方、特にリスクの大きい、エプロン下部からの水の侵入を完全に防ぐことが市場で要望されている。
【０００９】
本発明はかかる事情を鑑みてなされたものであり、エプロン下端部を床パン立ち上がり部に固定する締結部材の露出部分を覆い隠すための本体と、この隠蔽と同時に、エプロン下端部の床パン立ち上がり部への取付箇所に生じた隙間を覆い隠すための水密材とを有する化粧カバーを備えることにより、所定の構造を有する浴室ユニットにおいて、外観意匠性と水密性とを併せて確保することができる浴室ユニットを提供することを目的とする。
【課題を解決するための手段】
【００１０】
本発明に係る浴室ユニットは、洗場となる床パンと浴槽とが設置面上に並設され、洗場側と浴槽側とが床パンと浴槽の洗場側上端とで支持されるエプロンによって水密に仕切られ、エプロン下端部が床パン立ち上がり部にねじ固定される浴室ユニットにおいて、洗場側から装着される化粧カバーを備え、前記化粧カバーは、カバー本体と、装着されたカバー本体が前記床パン立ち上がり部と前記エプロン下端部とを両端で挟み込むボルト、ナット又はねじなどの締結部材の洗場側への露出部分を隠す状態で、前記床パン立ち上がり部と前記エプロン下端部との接触箇所に生じる隙間を覆い隠す水密材とを備えることを特徴とする。
本発明に係る浴室ユニットにあっては、床パン立ち上がりとエプロン下端部とのねじ固定に用いる締結部材の露出部分を化粧カバーによって覆い隠すようにしてあることにより、外観意匠性が損なわれないようにする。また、この露出部分を隠蔽する状態で、エプロン下端部の床パン立ち上がりへの取付箇所に生じる隙間を覆い隠すようにしてあることにより、外観意匠性と水密性とを併せて確保する。また、水密材を隙間に挿抜することなく隙間を覆い隠すようにしてあることにより、挿抜の繰り返しによる水密材の劣化という事態を回避し、水密性の低下を防ぐ。
【００１１】
また、本発明に係る浴室ユニットは、前記水密材は、ヒレ状をなし、前記化粧カバーが装着される状態で、その先端部が前記床パン立ち上がり部に弾性圧着するようにしてある構造であってもよい。
本発明に係る浴室ユニットは、水密材の先端部がヒレ状であり且つ弾性圧着するようにしてあることにより、先端部が床パン立ち上がり部の凹凸に合わせて変形自在となるので、一つの化粧カバーを、凹凸が異なる他の床パン立ち上がり部への取付に転用することができる。また、化粧カバーが装着されて締結部材の露出部分が隠蔽される状態で、水密材を圧着するようにしてあることにより、外観意匠性と水密性とを併せて確保する。
【００１２】
また、本発明に係る浴室ユニットは、前記水密材は、前記化粧カバーが装着される状態で、前記床パン立ち上がり部の面に沿って湾曲するように形成されている構造であってもよい。
本発明に係る浴室ユニットは、ヒレ状の水密材が床パン立ち上がり部の面に沿って湾曲するようにしてあることにより、特にリスクが大きい、エプロン下部から侵入しようとする水を水密材の湾曲によって円滑に排除する。
【００１３】
また、本発明に係る浴室ユニットは、前記化粧カバーは、前記締結部材の洗場側への露出部分に弾性嵌合するようにしてある構造であってもよい。
本発明に係る浴室ユニットは、化粧カバーが締結部材の一部に嵌合するようにしてあることにより、化粧カバーの取付用部品の数を抑えて製造コストを抑える。また、化粧カバーが弾性嵌合するようにしてあることにより、化粧カバーの着脱に大きな力を必要とせず、また、無用な力で化粧カバー及びこれの取付周辺が破損するという事態を回避し、組立時の取付け及び取外し性に配慮し、修理コストを抑える。
【００１４】
更にまた、本発明に係る浴室ユニットは、前記化粧カバーは、前記エプロンの幅方向に臨む帯状板をなし、該帯状板の撓み込みを防ぐための突起が背面に形成されている構造であってもよい。
本発明に係る浴室ユニットは、化粧カバーがエプロンの幅方向に臨む帯状体とされていることにより、エプロンの幅方向に取り付けられる化粧カバーの数を抑えて製造コストを抑える。また、撓み込みを防ぐための突起を背面に有することにより、装着時に突起がエプロン下端部及び床パン立ち上がり部に当たるので、装着時の化粧カバーの部分的な撓み込みを抑え、外観意匠性が損なわれないようにとする。
【発明の効果】
【００１５】
本発明に係る浴室ユニットは、エプロンを有する浴室ユニットにおいて、エプロン取付部分の外観意匠性が損なわれないようにできるとともに、エプロン取付部分の水密性を確保することができる。
【図面の簡単な説明】
【００１６】
【図１】本発明に係る浴室ユニットの基本的な構成を示す図である。
【図２】第１エプロン分割体を示す正面斜視図である。
【図３】第１エプロン分割体を示す背面斜視図である。
【図４】第３エプロン分割体を示す正面斜視図である。
【図５】第３エプロン分割体を示す背面斜視図である。
【図６】本発明に係る化粧カバーを示す正面斜視図である。
【図７】本発明に係る化粧カバーを示す背面斜視図である。
【図８】本発明に係る締結部材を示す図であって、（ａ）は固定用ねじを示す図、（ｂ）はスリップパッキンを示す図、（ｃ）は使用状態にある固定用ねじを示す図である。
【図９】本発明に係るエプロンの取付手順を示す斜視図であって、（ａ）はエプロンの上端部の取付手順を示す図であり、（ｂ）はエプロンの下端部の取付手順を示す図である。
【図１０】本発明に係る化粧カバーの取付状態を示す側面視断面図である。
【図１１】比較例に係るエプロン下端部付近を示す側面視断面図である。
【発明を実施するための形態】
【００１７】
本発明に係る浴室ユニットを実施の形態を示す図面に基づいて以下説明する。図１は本発明に係る浴室ユニットの基本的な構成を示す図である。なお、本実施の形態において、正面方向とは洗い場から浴槽を向く方向であり、背面方向とは浴槽から洗い場を向く方向であり、側面方向とは正面方向と直交する方向である。
【００１８】
図１に示すとおり、浴室ユニットは、基本的な部材として、床パン１、浴槽２、支柱３、取付用ねじ５、固定用ピース７、壁パネル及び天井パネルを備える。床パン１及び浴槽２は、設置面上に平行に設置され、これらの周端部に壁パネル及びドア枠が立ち上がるように配置されている。また、壁パネルの上端縁に天井パネルが取り付けられる。
【００１９】
詳述すると、床パン１は、洗い場面１０、支持脚１１、壁パネル取付用起立片１２、裏面１３、床パン立ち上がり１４及び排水孔１５を備える。床パン１は、本体が平面視略矩形の板状をなし、上方が洗い場面１０と、下方が裏面１３となるように配置される。支持脚１１は、裏面１３の４隅付近から下方に伸び出て、下端が設置面（図示せず、以下同じ）に取付固定されている。また、支持脚１１は、垂直方向に伸縮可能であり、設置面からの高さの調整手段となる。
【００２０】
壁パネル取付用起立片１２は、浴槽２と対向する端部を除いた洗い場面１０の周端部に沿って立ち上がる。床パン立ち上がり１４は、浴槽２と対向する端部に沿って形成された堰部が有する立ち上がり面であって、後述するエプロン４の下端部の固定部となる。また、床パン立ち上がり１４は、幅方向両端部に支柱３が取付固定され、２本の支柱３に挟まれた稜線に沿って固定ピース７が間隔をあけて複数嵌め込まれている。
【００２１】
洗い場面１０は、周端から排水孔１５に向かって僅かな下り傾斜をなし、洗い場面１０に流れ落ちた湯水を排水孔１５に案内する。排水孔１５は、案内された湯水を排水管（図示せず、以下同じ）へと導く。
【００２２】
浴槽２は、内底２０、裏底２１、支持脚２２、内周壁２３、フランジ２４、スカート部２５、嵌合用溝２６、リブ２７、支柱取付用ねじ孔２８及び壁パネル取付用壁２９を備える。浴槽２は、本体の内側に内底２０を、外側に外底２１を備える。支持脚２２は、外底２１の４隅付近から下方に伸び出て、下端が設置面に取付固定されている。
【００２３】
内周壁２３は、内底２０の周端から上拡がりに立ち上がる。フランジ２４は、内周壁２３の上端縁から外周方向に鍔状に張り出している。スカート部２５は、フランジ２４の外周縁から垂れ下がっている。リブ２７は、フランジ２４の下面に、スカート部２５に平行して設けられ、スカート部２５との間に嵌合用溝２６が形成されている。また、リブ２７は、幅方向両端部に支柱取付用ねじ孔２８が形成されている。壁パネル取付用壁２９は、床パン１と対向する垂下面を除いたスカート部２５の垂下面に、フランジ２４より上方に張り出すように接着固定されている。
【００２４】
固定用ピース７は、本体が中空立方体をなし、係止片７０、孔７１及びナット７２を備える（後述する図１０参照）。係止片７０は、本体の背面から逆Ｌ字状に張り出し、床パン立ち上がり１４の先端部に引っ掛け本体を固定させる部材である。孔７１は、本体の正面の中央に形成されている。ナット７２は、本体の中空部分に内蔵されている。
【００２５】
また、浴室ユニットは、上述した基本的な部材のほかに、エプロン４、水密材６、化粧カバー８及び固定用ねじ９を備える。エプロン４は、洗い場側と浴槽２側を水密に仕切る部材であり、上端部を浴槽２の嵌合用溝２６により、下端部を床パン１の床パン立ち上がり１４によりそれぞれ支えられている。エプロン４には、一枚型エプロンと、複数の分割体からなる分割型エプロンとがある。なお、本実施の形態では、第１エプロン分割体４０ａと、第２エプロン分割体４０ｂと、第３エプロン分割体４１とからなる分割型エプロンを一例として説明する。
【００２６】
図２は第１エプロン分割体４０ａを示す正面斜視図、図３は第１エプロン分割体４０ａを示す背面斜視図、図４は第３エプロン分割体４１を示す正面斜視図、図５は第３エプロン分割体４１を示す背面斜視図である。図２及び図３に示すとおり、第１エプロン分割体４０ａは、エプロン本体が正面視略矩形の板状をなし、フランジ嵌合用片４００、横張出片４０１、フック受け部４０２、段差面４０３、下張出片４０４、締結部材埋込用穴４０５、壁パネル取付用張出片４０６、膨出部４０７、突起片４０８及び垂直リブ４０９を備える。
【００２７】
フランジ嵌合用片４００は、エプロン本体の上端面の、エプロン本体の床パン１側の面（以下「エプロン本体表面」という。）より段状に浴槽２側に入り込んだ位置から立ち上がり、途中で浴槽２側に折れ曲がって側面視略Ｌ字形をなしている。また、フランジ嵌合用片４００は、屈曲箇所の一部に水密材取付用溝６０が形成されている。水密材取付用溝６０には、後述する水密材６ｂが嵌め込み接着される。
【００２８】
横張出片４０１は、エプロン本体の側端面の、エプロン本体表面より段状に浴槽２側に入り込んだ位置から側方に張り出している。フック受け部４０２は、正面視垂直方向に一定の間隔をあけて横張出片４０１の先端部から突き出ており、背面の一部が切り欠かれている。段差面４０３は、横張出片４０１とエプロン本体表面との段差部分に形成されている。
【００２９】
下張出片４０４は、エプロン本体の下端面の、エプロン本体表面より段状に浴槽２側に入り込んだ位置から垂れ下がっている。締結部材埋込用穴４０５は、正面視幅方向に一定の間隔をあけて下張出片４０４の正面に複数形成され、穴の底に貫通孔が形成されている。膨出部４０７は、締結部材埋込用穴４０５によって下張出片４０４の背面が膨らんだ部分であり、膨らみの頂きに締結部材埋込用穴４０５の貫通孔が開通している。また、膨出部４０７の下側には、水密材取付用溝６１が形成されている。水密材取付用溝６１には、水密材６ａが嵌め込み接着される。
【００３０】
壁パネル取付用張出片４０６は、横張出片４０１が張り出す側と反対の側端面から床パン１側に張り出している。突起片４０８は、正面視幅方向に一定の間隔をあけてフランジ嵌合用片４００の先端面から複数突き出ている。垂直リブ４０９は、壁パネル取付用張出片４０６が張り出ている側の側端部の背面に設けられている。
【００３１】
なお、第２エプロン分割体４０ｂは、上述した第１エプロン分割体４０ａと左右対称の構造となっているので、対応する箇所に同一の符号を付してその説明を省略する。
【００３２】
図４及び図５に示すとおり、第３エプロン分割体４１は、エプロン本体が正面視略矩形の板状をなし、フランジ嵌合用片４１０、フック４１１、垂直リブ４１２、下張出片４１３、締結部材埋込用穴４１４、指掛け用凹み４１５、膨出部４１６、補強用リブ４１７及び突起片４１８を備える。
【００３３】
フランジ嵌合用片４１０は、エプロン本体の上端面の、エプロン本体表面より段状に浴槽２側に入り込んだ位置から立ち上がり、途中で浴槽２側に折れ曲がって側面視略Ｌ字形をなしている。また、フランジ嵌合用片４１０は、屈曲箇所の一部に水密材取付用溝６２が形成されている。水密材取付用溝６２には、水密材６ｂが嵌め込み接着される。
【００３４】
フック４１１は、上向きに折れ曲がる鉤状をなし、エプロン本体の浴槽２側の面（以下「エプロン本体背面」という。）の両端部に、正面視垂直方向に一定の間隔をあけて複数形成されている。垂直リブ４１２は、エプロン本体背面の、フック４１１より外側に設けられている。
【００３５】
下張出片４１３は、エプロン本体の下端面の、エプロン本体表面より段状に浴槽２側に入り込んだ位置から垂れ下がっている。締結部材埋込用穴４１４は、正面視幅方向に一定の間隔をあけて下張出片４１３の正面に複数形成され、穴の底に貫通孔が形成されている。膨出部４１６は、締結部材埋込用穴４１４によって下張出片４１３の背面が膨らんだ部分であり、膨らみの頂きに締結部材埋込用穴４１４の貫通孔が開通している。また、膨出部４１６の下側には、水密材取付用溝６３が形成されている。水密材取付用溝６３には、水密材６ａが嵌め込み接着される。
【００３６】
補強用リブ４１７は、エプロン本体背面の中央付近に形成されている。突起片４１８は、正面視幅方向に一定の間隔をあけてフランジ嵌合用片４１０の先端面から複数突き出ている。
【００３７】
水密材６ｂは、本体が帯状をなし、例えば、日本発条株式会社製の「スーパーシート（商品名）」など、復元性（弾性）に優れたシーリング材が用いられる。また、より高い止水性が要求されるエプロンの下端部を止水する水密材６ａは、本体が帯状をなすとともに、帯の長手方向に水返し用のヒレが形成され、例えば、藤倉ゴム工業株式会社製の「スーパーレストン（商品名）」など、高反発で復元性がより優れたシーリング材が用いられる。
【００３８】
図６は本発明に係る化粧カバー８を示す正面斜視図、図７は本発明に係る化粧カバー８を示す背面斜視図である。化粧カバー８は、床パン１側から装着され、締結部材埋込用穴４０５及び４１４に挿し込まれる固定用ねじ９を隠すとともに、エプロン４の下端部と床パン立ち上がり１４との接触箇所を覆い隠す部材となる。化粧カバー８は、本体が正面視幅方向に長手辺を有する帯板状をなし、リブ８０、変形防止用突起８１、嵌合用突起８２及び補助水密材８３を備える。
【００３９】
リブ８０は、化粧カバー本体の背面の上端部及び中間部に、化粧カバー本体の長手方向に沿って設けられている。変形防止用突起８１は、各リブ８０の先端及び化粧カバー本体の背面の下端部から、先端が浴槽２を向くように突き出ており、弾性を有する。嵌合用突起８２は、各変形防止用突起８１から分岐してリブ８０間に生ずる溝状空間側に突き出ており、弾性を有する。
【００４０】
補助水密材８３は、化粧カバー本体の背面の下端部から突出する変形防止用突起８１の位置より下方から浴槽２を向くように突き出て、途中で先端部が下方に臨むように湾曲するヒレ状をなし、例えば、６０°乃至８０°の軟質硬度を有する軟質アクリル（ソフトアクリル）樹脂により形成されている。
【００４１】
なお、化粧カバー８は、上端から補助水密材８３までの高さ寸法が、下張出片４０４及び４１３の垂れ下がりの長さより長くなるように形成され、且つ、全体の幅寸法がエプロン４（即ち、第１エプロン分割体４０ａ、第２エプロン分割体４０ｂ及び第３エプロン分割体４１を合わせたもの）の幅と同じか、又は個々の幅寸法がエプロン４の幅より短く、複数が連なることによりエプロン4の幅と同じになるように形成されている。
また、補助水密材８３は、化粧カバー８が装着されて変形防止用突起８１が下張出片４０４及び４１３に当たる状態で補助水密材８３の先端部が床パン立ち上がり１４に圧着することのできる寸法となるように、化粧カバー本体の背面からの突き出し寸法が形成されている。
【００４２】
図８は本発明に係る締結部材を示す図であって、（ａ）は固定用ねじ９を示す図、（ｂ）はスリップパッキン９２を示す図、（ｃ）は使用状態にある固定用ねじ９を示す図である。図８（ａ）に示すとおり、固定用ねじ９は、軸部９０及び頭部９１を備える。軸部９０は、先端部に雄ねじ９００が形成されている。
【００４３】
頭部９１は、上述した化粧カバー８を嵌め込み固定することができるように一般的なねじの頭部とは異なる特殊な形状を有しており、鍔部９１０、頭頂部９１１及び工具締め付け用穴９１２を備える。鍔部９１０は、軸部９０と頭部９１との境付近から外周方向に膨らみ出た部分である。頭頂部９１１は、頭部９０の頂きに円盤状に形成されている。工具締め付け用穴９１２は、頭頂部９１１の上面に形成されており、十字穴、四角穴又は六角穴など様々な形状が存在する。なお、図８（ａ）は、工具締め付け用穴９１２を十字穴とする一例を示す。
【００４４】
図８（ｂ）に示すとおり、スリップパッキン９２は、本体が円盤状をなし、孔９２０及び突起９２１を備える。孔９２０は、スリップパッキン９２本体の中心に形成されている。突起９２１は、孔９２０から内周方向に向かって複数突き出ている。
【００４５】
図８（ｃ）に示すとおり、固定用ねじ９は、軸部９０がスリップパッキン９２の孔９２０に嵌め込まれた状態で使用される。このとき、スリップパッキン９２は、各突起９２１が固定用ねじ９の軸部９０の外周面を押し付けることにより、固定用ねじ９に固定される。
【００４６】
このように、浴室ユニットは、複数の部材により構成されている。以下、これらの部材を用いた浴室ユニットの取付について説明する。図１に示すとおり、床パン１及び浴槽２は、設置面上に平行に設置され、支持脚１１の高さ調整機能により高さが調整される。
【００４７】
この状態で、支柱３は、下端部が床パン１の床パン立ち上がり１４に取り付けられるとともに、上端部を挿通した取付用ねじ５が浴槽２の支柱取付用ねじ孔２８にねじ込まれることにより、床パン１及び浴槽２を支持固定する。
【００４８】
図９は本発明に係るエプロン４の取付手順を示す斜視図であって、（ａ）はエプロン４の上端部の取付手順を示す図、（ｂ）はエプロン４の下端部の取付手順を示す図である。図９（ａ）に示すとおり、第１エプロン分割体４０ａ及び第２エプロン分割体４０ｂは、床パン１及び浴槽２を仕切るように取り付けられる。このとき、浴槽２のフランジ２４と、第１エプロン分割体４０ａと、床パン１の床パン立ち上がり１４と、第２エプロン分割体４０ｂとで囲まれた開口部分が、作業点検口となる。
【００４９】
第３エプロン分割体４１は、作業点検口を塞ぐように取り付けられる。このとき、第３エプロン分割体４１のエプロン本体背面が第１エプロン分割体４０ａ及び第２エプロン分割体４０ｂの横張出片４０１に接触する。
【００５０】
この状態で、第３エプロン分割体４１は、下から上にスライドされることにより、フランジ嵌合用片４１０が浴槽２の嵌合用溝２６に嵌り込み、フック４１１が第１エプロン分割体４０ａ及び第２エプロン分割体４０ｂのフック受け部４０２に嵌り込み、下張出片４１３の裏面が床パン１の床パン立ち上がり１４に接触する。
【００５１】
図９（ｂ）に示すとおり、取付状態にある第３エプロン分割体４１は、下張出片４１３の締結部材埋込用穴４１４に固定用ねじ９が挿し込まれる。なお、第１エプロン分割体４０ａ及び第２エプロン分割体４０ｂについては、上述した第３エプロン分割体４１と同様に取り付けられる。
【００５２】
図１０は本発明に係る化粧カバー８の取付状態を示す側面視断面図である。図１０に示すとおり、床パン立ち上がり１４への取付状態にある第３エプロン分割体４１は、下張出片４１３の膨出部４１６が床パン立ち上がり１４の凹みに嵌り込んでいる。固定用ねじ９は、パッキン９３を介して締結部材埋込用穴４１４に挿し込まれて先端が固定ピース７のナット７２に臨み、雄ねじ９００が固定ピース７のナット７２にねじ込まれる。それにより、第３エプロン分割体４１は、床パン立ち上がり１４に固定された状態となる。具体的には、第３エプロン分割体４１と床パン立ち上がり１４とが、固定用ねじ９の鍔部９１０と固定用ピース７の係止片７０とにより挟み込まれる状態となる。
このとき、下張出片４１３の水密材６は、床パン立ち上がり１４からの圧力を受けることにより床パン立ち上がり１４との間で水密状態になるとともに、下張出片４１３は、床パン１側に撓んで床パン立ち上がり１４との間に僅かな隙間を生じさせる（図１０の下張出片４１３の二点鎖線を参照）。
【００５３】
この状態で、化粧カバー８は、下張出片４１３全体を覆い隠すように、且つ、第３エプロン分割体４１下端部の入り組んだ空間に嵌り込んでエプロン本体表面と略面一となるように取り付けられ、化粧カバー本体背面の溝状空間に固定用ねじ９の頭部９１が嵌り込み、嵌合用突起８２が固定用ねじ９の頂頭部９１１に引っ掛かる。同時に、変形防止用突起８１の先端が下張出片４１３の正面に接触し、更に、補助水密材８３の先端部が床パン立ち上がり１４に沿って下方に湾曲しながら圧着して、下張出片４１３と床パン立ち上がり１４との間に生じた隙間を覆い隠す。
【００５４】
なお、上述した内容は、第３エプロン分割体４１の符号に基づく説明であるが、同様の構造を有する第１エプロン分割体４０ａ及び第２エプロン分割体４０ｂについては、図１０の括弧内の符号に置き換えることによりその説明を省略する。
【００５５】
（実施例）
以下、本願実施例と比較例とを、止水性、組立容易性、保守点検容易性及び外観意匠性の観点から比較したときの相対的な評価を示す。図１１は比較例に係るエプロン下端部付近を示す側面視断面図である。図１１に示すとおり、比較例は、従来のエプロン４の取付構造であり、エプロン４の下端部が一般的なねじＳにより固定され、化粧カバー８が装着されていない。なお、図１１に示す比較例は、便宜上、本発明と対応する箇所に同一の符号が付されている。一方、本願実施例は、上述した実施の形態とする。
【００５６】
止水性については、本願実施例が比較例より優れている。即ち、比較例は、水密材６により止水されているため、この水密材６に不良があれば漏水のおそれがあるのに対して、本願実施例は、水密材６及び補助水密材８２により２重に止水されているため、何れか一方に不良があっても他方で止水することができる。
【００５７】
組立容易性及び保守点検容易性については、略同等である。即ち、比較例は、第３エプロン分割体４１を着脱するのに対して、本願実施例は、第３エプロン分割体４１及び化粧カバー８を着脱するが、化粧カバー８の着脱が容易であることから、略同等であることいえる。
【００５８】
外観意匠性について、本願実施例が比較例より優れている。即ち、比較例は、エプロン４の下端部のねじＳが隠蔽されていないのに対して、本願実施例は、化粧カバー８により固定用ねじ９が隠蔽されている。
【００５９】
このように、本願実施例は、エプロン４が構造体であるにもかかわらず、意匠エプロンと同等の外観意匠性を備えるとともに、高い止水性を有するという点で、従来のエプロンの取付構造より優れている。
【００６０】
なお、上述した実施の形態では、締結部材として固定用ねじ９を固定用ピース７のナット７２に螺合させる一例を説明したが、これに限定されるものでなく、固定用ピース７から突き出た雄ねじに洗い場側からナットを螺合させるようにしてもよい。
【００６１】
また、上述した実施の形態では、化粧カバー８の補助水密材８３が、床パン立ち上がり１４に圧着する一例を説明したが、これに限定されるものでなく、エプロン４の下端部と床パン立ち上がり１４との隙間を覆い隠す態様であればよく、例えば、化粧カバー８の補助水密材８３がエプロン４の下端部から床パン立ち上がり１４まで圧着する態様であってもよい。
【００６２】
また、作用についての補足として、本発明にあっては、化粧カバー８本体をエプロン４と同様に、アクリロニトリル・ブタジエン・スチレン共重合合成樹脂（ＡＢＳ樹脂）とするとともに、その他の部分を弾性を有する素材とする、二層成形とすることにより、用途に合わせた機能を有する部品成形が可能となる。
【００６３】
また、本発明にあっては、常に、エプロン４をスライド係合させ、固定用ねじ９によりねじ固定した後、固定用ねじ９の頭部に化粧カバー８を嵌合することとなるので、取付手順を画一的にさせることができる。仍って、取付手順の間違いなどの不備による、外観意匠性の欠如や、水密性の低下などを回避することができる。
【００６４】
また、本発明にあっては、固定用ねじ９の一部に化粧カバー８を装着するので、異なる形状のエプロン４に装着する場合、エプロン４自体に何らかの取付構造を施すことなく、固定用ねじ９を取付部品として転用するとともに、押出成形により新たに製造した化粧カバー８を用いることで対応ができる。化粧カバー８は、エプロン４の成型に比して、加工が容易であり、安価に製造することができるため、全体の製造コストを抑えることができる。
【符号の説明】
【００６５】
１  床パン
２  浴槽
３  支柱
４  エプロン
５  取付用ねじ
６  水密材
７  固定用ピース
８  化粧カバー
９  固定用ねじ
【図１】
2011101767.tif 000003
【図２】
2011101767.tif 000004
【図３】
2011101767.tif 000005
【図４】
2011101767.tif 000006
【図５】
2011101767.tif 000007
【図６】
2011101767.tif 000008
【図７】
2011101767.tif 000009
【図８】
2011101767.tif 000010
【図９】
2011101767.tif 000011
【図１０】
2011101767.tif 000012
【図１１】
2011101767.tif 000013